(57)【特許請求の範囲】
【請求項１】
サッシ枠体を構成し周縁部に係合受部が形成されたインナーサッシ枠が柱材及び上下に配置されて柱材に取り付けられた横取付材に取り付けられ且つ壁材とインナーサッシ枠との接触部にコーキング材が充填され更に内装用の窓枠が取り付けられて壁構造が構築され、建物外側から前記インナーサッシ枠にサッシ枠体を構成し前記インナーサッシ枠の周縁部に形成された係合受部に対応する係合部が設けられ且つガラス障子等の窓材やドア等を保持するアウターサッシ枠が前記係合部を前記係合受部に係合させることにより壁構造を解体，再構築することなくアウターサッシ枠のみが取り外し可能に取り付けられていることを特徴とする建物の開口部構造。
【請求項２】
多様な構造を有する前記アウターサッシ枠を複数用意し、前記サッシ枠体は、前記インナーサッシ枠と、複数の前記アウターサッシ枠から選択されるアウターサッシ枠からなることを特徴とする請求項１に記載した建物の開口部構造。
【発明の詳細な説明】
【０００１】
【産業上の利用分野】
本発明は、建物の壁に窓材やドア等の開口部を形成する構造に係り、特に開口部に取り付ける窓等の種類や、開口部構造を簡単に変更することができる構造に関する。
【０００２】
【従来技術】
従来、建物の壁に開口部を形成する場合は、床側と天井側の、２本の梁の間に、サッシ枠ユニットを取り付け、壁の所定高さにサッシ枠を位置させてここに開口部を形成していた。この構造に用いられるサッシ枠ユニットは、予め工場において、平行に並べた２本の開口柱と、これら開口柱間に掛け渡した２本の横取付材とにより開口取付枠体を構成し、これにサッシ枠体を止めつけて一体化したものである。
【０００３】
【発明が解決しようとする課題】
しかしながら、上記したような構造を有する建物の開口部は、単一のサッシ枠体が外壁材や内壁材に一体化されてしまうために、建物のリフォームなどでサッシを交換する際、建物躯体と取り合う開口柱や横取付材や、外壁部分に取り合うシーリングや内装部分に取り合う室内窓枠等の内装材を一旦解体し、サッシ枠ユニット全部を交換しなければならず、取り外し工事や新たなサッシ枠体の取付後の修復工事等に多くの労力、費用がかかる。
【０００４】
また、サッシ枠体には、通常の引き戸のほか、開き戸や出窓等の多様な種類がある。上記したように、単一のサッシ枠体を用いてこの種類をカバーしようとすると、多種類のサッシ枠ユニットを予め用意する必要があり、結果としてユニット品種点数が増加し、このようなユニットの生産管理や在庫管理などの作業がきわめて繁雑であった。
【０００５】
そこで、本発明の目的は、サッシ枠体を建物躯体へ固定するインナーサッシ枠とガラス障子等を保持するアウターサッシ枠とにより構成することによって、開口部材のリフォームを簡単に行うことができ、さらに部材の生産管理や在庫管理コストを低減することができるサッシ枠体を提供し、また、これを用いた開口部構造を提案することにある。
【０００６】
【課題を解決するための手段】
本発明は、サッシ枠体を構成し周縁部に係合受部が形成されたインナーサッシ枠が柱材及び上下に配置されて柱材に取り付けられた横取付材に取り付けられ且つ壁材とインナーサッシ枠との接触部にコーキング材が充填され更に内装用の窓枠が取り付けられて壁構造が構築され、建物外側から前記インナーサッシ枠にサッシ枠体を構成し前記インナーサッシ枠の周縁部に形成された係合受部に対応する係合部が設けられ且つガラス障子等の窓材やドア等を保持するアウターサッシ枠が前記係合部を前記係合受部に係合させることにより壁構造を解体，再構築することなくアウターサッシ枠のみが取り外し可能に取り付けられていることで、上記課題を解決している。
【０００７】
また、上記開口部構造に於いて、多様な窓構造を有する前記アウターサッシ枠を複数用意し、前記サッシ枠体は前記インナーサッシ枠と、複数の前記アウターサッシ枠から選択されるアウターサッシ枠から構成する構造とすれば、部材の生産管理や在庫管理コストを低減して、多様な開口部構造を実現可能とすることができる。
【０００８】
また、上記何れかの開口部構造に於いて、柱材の間に横取付材が連結されて開口取付枠体が構成され、該開口取付枠体にインナーサッシ枠が取り付けられ、建物外側から該インナーサッシ枠にアウターサッシ枠が取り外し可能に取り付けられている建物の開口部構造を構成することもできる。
【０００９】
【発明の実施の形態】
本発明の実施例は、開口部構造として窓構造の構造例を示すものである。図１は本実施例の開口部構造を構成する各部材の分解斜視図、図２はかかる開口部構造の側断面図、さらに図３はインナーサッシ枠とアウターサッシ枠との結合部分の構造説明図である。
【００１０】
図１を用いて、建物躯体の壁部に開口部構造を説明する。まず、図１に示すように、サッシ枠体３はアウターサッシ枠１とインナーサッシ枠２とにより構成される。アウターサッシ枠１は、図示しないガラス障子をはめ込む枠体であって、ガラス障子を摺動可能とするためのレール１Ａが形成されている。また、アウターサッシ枠１の正面は、窓の外観を整えるための化粧枠１Ｂとなっており、また、この化粧枠１Ｂより狭く、後方に突出したはめ込み用枠１Ｃが一体に形成されている。
【００１１】
また、インナーサッシ枠２は、上記したアウターサッシ枠１のはめ込み用枠１Ｃと同じ内枠寸法を有する枠体である。まず、インナーサッシ枠２にアウターサッシ枠１を取り付け、インナーサッシ枠２の上下に横取付材４、４を取付けて、この横取付材４、４をネジ４ａにより梁（図示せず）に掛け渡された柱材である開口柱５及び躯体柱６に固定している。特に躯体柱６に対しては、これに加えてインナーサッシ枠２をＬ字金具７を用いて躯体柱６の側面に補助的に固定している（図３参照）。このように、インナーサッシ枠とアウターサッシ枠からなるサッシ枠体３に横取付材４、４を工場段階で取付けてアセンブル化した場合は、現場でも施工工程が低減できる。
【００１２】
なお、施工手順としては、開口柱５及び躯体柱６に対して、横取付材４を介してアウターサッシ枠１とインナーサッシ枠２からなるサッシ枠体３を取付ける。そして、壁材50をインナーサッシ枠２周りに建て込み、壁材50との接触部にコーキング材８を充填して防水処理を行う。さらに、内装用の窓枠材51、室内化粧板52等を取り付けて、壁構造を構築し、開口部構造を完成させる。なお、アウターサッシ枠１は予めインナーサッシ枠２に取付けず、現場段階でインナーサッシ枠２に取り付けることも可能である。
【００１３】
図２及び図３に示すように、アウターサッシ枠１の化粧枠１Ｂの裏面には、係合部となる係合爪１ｅが複数形成されており、また、インナーサッシ枠２の内周部には係合受部となる係合凹部２ａが形成されている。この係合爪１ｅは、化粧枠１Ｂの裏面に間欠的に複数、または連続的に長尺状に形成されており、その先端は突起が形成されたものである。一方、係合凹部２ａは、この係合爪１ｅを三方から囲む溝部であって、開口部分が狭まっており、一旦、前記係合爪１ｅが挿入されると、かかる開口部分が係合爪１ｅ先端の突起と噛み合って両者が係合する構造となっている。なお、この係合作業後、補助的に固定ネジ９を用いて、両サッシ枠１、２を固定しており、アウターサッシ枠１が容易には外れないようにしている。
【００１４】
図４は、インナーサッシ枠２に対して取り付けるアウターサッシ枠の多様な構成例を示したものである。いずれのアウターサッシ枠11、12、13、14は選択的にインナーサッシ枠２に取り付けられて、開口部構造を構成する。なお、上記した実施例の開口部と同様な構造部材は、同じ番号を付して説明を省略する。
【００１５】
図４(a)に示す例は、シャッター付き窓構造とした例である。この構造に用いるアウターサッシ枠11は、ガラス障子11ａのガイドとなる枠体11ｂとシャッター11ｃのガイドとなるシャッターレール11ｄとにより構成したものである。図４(b) に示す例は、外開き窓構造を示す。このアウターサッシ枠12は、開き障子12ａとこれを保持する枠体12ｂとから構成され、開き障子12ｂは図示しない一端においてヒンジにより枠体12ｂに固定されており、図に表れる他端を押し引きすることにより、窓を開閉する。なお、本構造は、窓構造の他、開き障子の代わりにドアを取り付けてドア構造へ応用することができる。
【００１６】
図４(c) に示す窓構造は、面格子付き窓構造とした例である。このアウターサッシ枠13は、ガラス障子13ａを摺動可能に保持するガイド枠部13ｂに、面格子13ｃを保持する格子保持部13ｄを一体に構成した枠体である。さらに、図４(d) の窓構造は、出窓構造の例である。この構造に用いるアウターサッシ枠14は、基礎枠体14ａの外側に張出し枠体14ｂを取付け、これに側面ガラス14ｃ及び正面ガラス14ｄを取り付けて構成している。
【００１７】
上記した各アウターサッシ枠11、12、13、14は、共通のインナーサッシ枠２の係合凹部２ａと係合可能な係合爪11ｅ、12ｅ、13ｅ、14ｅを有しており、これら係合爪11ｅ、12ｅ、13ｅ、14ｅをインナーサッシ枠２の係合凹部２ａに噛合させるように取り付けることで、インナーサッシ枠２と幅及び高さが同一なアウターサッシ枠１であれば、いずれのアウターサッシ枠11、12、13、14も建物外側から簡単にはめ込み固定を行うことができ、開閉方式や意匠の異なる開口部構造に変更することができる。
【００１８】
以上説明したように、本実施例の開口部構造によれば、建物躯体側に固定されるインナーサッシ枠と、ガラス障子等の窓部材を保持するアウターサッシ枠とにより構成したことにより簡単に開口部構造の変更、取り替えを行うことができる。特に建物のリフォームの際には、壁構造を解体、再構築等の作業を行うことなく、新しいアウターサッシ枠に取り替えることができる。また、上記のように多様なアウターサッシ枠を用意すれば、リフォーム時に多様な開口部構造に変更することができる。
【００１９】
また、開口部構造の構築作業において、予めインナーサッシ枠にアウターサッシ枠を取付けずに、壁構造の構築作業後、アウターサッシ枠を建物の外側から取り付けることも可能であるため、アウターサッシ枠の汚損の恐れがなく、また、壁構造の構築作業時、この養生カバー作業等が不要であるなど作業効率を向上させることもできる効果も有する。
【００２０】
なお、上記実施例では、インナーサッシ枠２の取付先である柱材として、一方に躯体柱６を用いたが、２本の開口柱を用いて任意の位置に開口部構造を構築してもよいことは勿論である。また、図４に示すアウターサッシ枠構造は例示であって、他の構造、例えば引き戸式の雨戸を有する等、他の構造を選択できる。さらに、本実施例では開口部構造として窓構造を説明したが、ドア等の他の開口部構造にも応用できる。さらにインナーサッシ枠とアウターサッシ枠との係合構造は、上記した係合爪、係合凹部から成る構造に限られず、バインダー式やネジ式によって構成してもよい。
【００２１】
【発明の効果】
以上説明したように、本発明の開口部構造で用いるサッシ枠体は、周縁部に係合受部を形成したインナーサッシ枠と、インナーサッシ枠の係合受部に係合する係合部を設けたアウターサッシ枠とにより構成するため、建物躯体ににインナーサッシ枠を取り付けた後、このインナーサッシ枠に対しアウターサッシ枠を対向させて係合部を係合受部に係合させることで取り外し可能に取り付けることができる。
【００２２】
このため、開口部構造の変更・取り替えを行う際に、両サッシ枠をより簡単且つ確実に着脱することができ、特に、建物のリフォームの際には、壁構造の解体、再構築を行うことなく、アウターサッシ枠のみの交換により、開口部材のリフォームを行うことができる。
【００２３】
さらに、多様な構造を有する前記アウターサッシ枠を複数用意することによって、従来のユニット方式に比べて部材の生産管理や在庫管理コストを低減して、多様な開口部構造を実現することができる。また、リフォーム時に選択的に多様な開閉方式や意匠の異なる開口部構造に変更することができ、リフォームの自由度を高めることができる。
【００２４】
また上記した開口部構造を構築すれば、壁構造の構築後、アウターサッシ枠体を建物外側から簡単に取り付けて開口部を構築することができるために、壁構造の構築作業中、アウターサッシ枠の養生保護作業を不要とし、もって、開口部構造の構築作業効率を向上させることが出来る効果を有する。
【図面の簡単な説明】
【図１】  実施例の窓構造を構成する各部材の分解斜視図である。
【図２】  窓構造の側断面図である。
【図３】  インナーサッシ枠とアウターサッシ枠との結合部分の構造説明図である
【図４】  他のアウターサッシ枠の構成例を示す説明図である。
【符号の説明】
１、11、12、13、14…アウターサッシ枠
１ｅ、11ｅ、12ｅ、13ｅ、14ｅ…係合爪（係合部）
２…インナーサッシ枠
２ａ…係合凹部（係合受部）
３…サッシ枠体
４…横取付材
５…開口柱（柱材）
６…躯体柱（柱材）
50…壁材
【図１】
0003966566.tif 000002
【図２】
0003966566.tif 000003
【図３】
0003966566.tif 000004
【図４】
0003966566.tif 000005